(57)【特許請求の範囲】
【請求項１】
対向する一対の長方形の遮水シート(１，１)の四周の端縁(1a)が全て密着されて密閉された袋状部(1b)内に、該袋状部(1b)と略同じ大きさを有し織布又は不織布から成る上布(2b)と不織布から成る下布(2c)とで粒状のベントナイト(2a)が挾持されていて両布(2b，2c)が所定間隔毎にニードルパンチされて連結されている止水材(２)が、透水用チューブ(3a)が挿入されている透水用不織布(３)を該上布(2b)の略長手方向全体に亘って重着させた状態で挿入されていて、注入口(4a)と注入用弁(4b)とから成り該透水用不織布(３)に水を注入して該透水用不織布(３)を介して該止水材(２)の上布(2b)全体に水を行き亘らせるための注入手段(４)が該上布(2b)側の遮水シート(１)の長手方向の端縁(1a)近傍で且つ前記透水用不織布(３)と相対する位置に設けられていると共に、前記袋状部(1b)内の空気を吸引するための吸引口(5a)と吸引用弁(5b)とから成る吸引手段(５)が該上布(2b)側の遮水シート(１)に設けられていることを特徴とする二重遮水シート(Ｘ)。
【請求項２】
吸引手段(５)が注入手段(４)が設けられている端縁(1a)近傍に設けられている請求項１に記載の二重遮水シート(Ｘ)。
【請求項３】
対向する一対の長方形の遮水シート(１，１)の四周の端縁(1a)が全て密着されて密閉された袋状部(1b)内に該袋状部(1b)と略同じ大きさを有し織布又は不織布から成る上布(2b)と不織布から成る下布(2c)とに粒状のベントナイト(2a)が挾持されていて両布(2b，2c)が所定間隔毎にニードルパンチされて連結されている止水材(２)が透水用チューブ(3a)が挿入されている透水用不織布(３)を該上布(2b)の略長手方向全体に亘って重着させた状態で挿入されていて注入口(4a)と注入用弁(4b)とから成り該透水用不織布(３)に水を注入して該透水用不織布(３)を介して該止水材(２)の上布(2b)全体に水を行き亘らせるための注入手段(４)が該上布(2b)側の遮水シート(１)の長手方向の端縁(1a)近傍で且つ前記透水用不織布(３)と相対する位置に設けられていると共に前記袋状部(1b)内の空気を吸引するための吸引口(5a)と吸引用弁(5b)とから成る吸引手段(５)が該上布(2b)側の遮水シート(１)上に設けられている二重遮水シート(Ｘ)の該吸引手段(５)から該袋状部(1b)内の空気を吸引した後、該上布(2b)側の遮水シート(１)を上面にして該注入手段(４)を法肩に位置させた状態で該二重遮水シート(Ｘ)を海面又は水面上に浮かべ、該止水材(２)のベントナイト(2a)の少なくとも一部が粒状のまま残る量の水を該注入手段(４)から該透水用不織布(３)に注入して該二重遮水シート(Ｘ)の見かけ比重を海水又は水より大きくすることによって、該二重遮水シート(Ｘ)を海面下又は水面下に沈めて敷設することを特徴とする二重遮水シートの敷設方法。
【請求項４】
注入手段(４)と吸引手段(５)とが遮水シート(１)の同じ端縁(1a)近傍に設けられている二重遮水シート(Ｘ)を使用し、該二重遮水シート(Ｘ)を海面下又は水面下に沈めて所定時間経過後に、法肩へ上ってきた該袋状部(1b)内に残っていた空気を該吸引手段(５)から吸引する請求項３に記載の二重遮水シートの敷設方法。
【発明の詳細な説明】
【０００１】
【発明の属する技術分野】
本発明は、廃棄物最終処分場に敷設する二重遮水シートと、この二重遮水シート内の空気を吸引し海面又水面に浮かべた後に二重遮水シートの内部に水を注入して海面下又水面下に沈めて敷設する二重遮水シートの敷設方法に関するものである。
【０００２】
【従来の技術】
従来の廃棄物最終処分場においては、塩化ビニルシート，ゴムシート，アスファルトコーティングシート，ポリオレフィン樹脂シート等を敷き詰めただけの遮水工事が行われていたが、長期間に亘って遮水効果を保つ必要性から、近年ではこれら２枚の遮水シート間に遮水効果のある充填材を充填した二重遮水シートが広く使用されている。
【０００３】
この二重遮水シートに用いられる主な充填材としては、浸入してきた水により膨潤しても変質せず且つ環境に悪影響を与えないセルロース・アクリルニトリル重合体やアクリル酸・ビニルアルコール共重合体などの高吸水性高分子材料が使用されていたが、近年、水と反応して膨潤ししかも止水性を発揮するモンモリロナイトを主成分とするベントナイトのような粘土鉱物が用いられるようになってきている。
このベントナイトは、単体で使用されたり、織布又は不織布から成る上布と不織布から成る下布との間にベントナイトを挾持させたジオシンセティック・クレイ・ライナーの状態で使用されている。しかしながら、このベントナイトは一般に遮水シート又は上下布との接着性を考慮して粘土状で使用されていたため、粘土状として使用すると重量が嵩むので、運搬等の効率が悪く、その結果二重遮水シートを比較的小さくして重量を低く抑えると、敷設作業効率が悪くなるという欠点があった。
【０００４】
そこで、ベントナイトを粘土状としてではなく粒子状として使用すれば、軽量であるから運搬も敷設作業も容易となるなどの利点があるが、遮水シート又は上下布との接着性がなくなるため敷設作業の過程で吊り下げたり斜面あるいは鉛直な面等に敷設するとベントナイトが二重遮水シート間で下方側に偏ってしまうという欠点があった。
【０００５】
また、二重遮水シートを海面下又は水面下に敷設する場合には、海水又は水よりも二重遮水シートの見かけ比重を大きくする必要があり、特に海面下に敷設する際には、比重をより大きくしなければならないから、従来の樹脂製の遮水シートを使用できなかったのである。
【０００６】
更に、乾燥した粒状のベントナイトのままでは見かけ比重を大きくすることができないため、ベントナイトに水を含ませる必要があるが、あまり多くの水を投入すると遮水シートが破損した際の自己修復性が失われるため、敷設場所に合わせて投入する水の量を適宜調整する必要がある。しかしながら、現場でベントナイトを前養生しても二重遮水シート内に入れるまでに乾燥したり、空気が入るなどの理由によりこのような水分の調整は困難であった。
【０００７】
【発明が解決しようとする課題】
本発明は、前記従来技術の欠点及び問題点を解決し、軽量で運搬も敷設作業も容易であるにも拘らず、敷設作業の過程で吊り下げたり斜面あるいは鉛直な面等に敷設しても止水材が二重遮水シート間で下方側に偏ってしまって均し作業等が必要となるという欠点がなく、また容易に敷設場所に合った見かけ比重にすることができると共に敷設後に遮水シートが破損した際に自己修復性を有している二重遮水シートと、その二重遮水シートを海面下又水面下に沈めて敷設する二重遮水シートの敷設方法とを提供することを課題とする。
【０００８】
【課題を解決するための手段】
本発明者等は前記課題を解決すべく種々検討を行った結果、遮水シートに吸引手段を設けてその吸引手段から袋状部内の空気を吸引して減圧状態にすれば、袋状部内に充填した止水材としてのベントナイトが粒子状であっても二重遮水シート内で偏ることを防ぐことができ、また止水材の略長手方向全体に亘って透水用チューブが挿入されている透水用不織布を重着させておいて減圧状態において遮水シートに設けた注入手段から水を注入すれば二重遮水シート内は減圧状態にあるから注入手段から注入された水を透水用不織布を介して短時間で止水材の上布全体に行き亘らせて容易に二重遮水シートの見かけ比重を変更できることを究明して本発明に係る二重遮水シートを完成したのである。
【０００９】
また、前記二重遮水シート内の空気を吸引し海面又水面に浮かべた後に二重遮水シートの内部に水を注入して海面下又水面下に沈めて敷設すれば、二重遮水シート内には殆ど空気がないから少量の水で見かけ比重を大きくすることができるためベントナイトの自己修復性を損なうことなく、二重遮水シートを敷設場所の海面下又水面下に沈めることができる見かけ比重にすることができ、更には二重遮水シートに空気が残っていた場合にも、水を注入する注入手段と二重遮水シート内の空気を吸引する吸引手段とが遮水シートの同じ端縁近傍に設けられている二重遮水シートを使用すれば二重遮水シートを海面下又水面下に沈めた際に二重遮水シート内の空気は上方へと上がってくるからその空気を吸引すればよいことも究明して本発明に係る二重遮水シートの敷設方法を完成したのである。
【００１０】
即ち本発明は、対向する一対の長方形の遮水シートの四周の端縁が全て密着されて密閉された袋状部内に、袋状部と略同じ大きさを有し織布又は不織布から成る上布と不織布から成る下布とで粒状のベントナイトが挾持されていて両布が所定間隔毎にニードルパンチされて連結されている止水材が、透水用チューブが挿入されている透水用不織布を上布の略長手方向全体に亘って重着させた状態で挿入されていて、注入口と注入用弁とから成り透水用不織布に水を注入して透水用不織布を介して止水材の上布全体に水を行き亘らせるための注入手段が上布側の遮水シートの長手方向の端縁近傍で且つ前記透水用不織布と相対する位置に設けられていると共に、前記袋状部内の空気を吸引するための吸引口と吸引用弁とから成る吸引手段が上布側の遮水シートに設けられていることを特徴とする二重遮水シートと、
この二重遮水シートにおいて、吸引手段が注入手段が設けられている端縁近傍に設けられている二重遮水シートと、
対向する一対の長方形の遮水シートの四周の端縁が全て密着されて密閉された袋状部内に袋状部と略同じ大きさを有し織布又は不織布から成る上布と不織布から成る下布とに粒状のベントナイトが挾持されていて両布が所定間隔毎にニードルパンチされて連結されている止水材が透水用チューブが挿入されている透水用不織布を上布の略長手方向全体に亘って重着させた状態で挿入されていて注入口と注入用弁とから成り透水用不織布に水を注入して透水用不織布を介して止水材の上布全体に水を行き亘らせるための注入手段が上布側の遮水シートの長手方向の端縁近傍で且つ前記透水用不織布と相対する位置に設けられていると共に前記袋状部内の空気を吸引するための吸引口と吸引用弁とから成る吸引手段が上布側の遮水シート上に設けられている二重遮水シートの吸引手段から袋状部内の空気を吸引した後、上布側の遮水シートを上面にして注入手段を法肩に位置させた状態で二重遮水シートを海面又は水面上に浮かべ、止水材のベントナイトの少なくとも一部が粒状のまま残る量の水を注入手段から前記透水用不織布に注入して二重遮水シートの見かけ比重を海水又は水より大きくすることによって、二重遮水シートを海面下又は水面下に沈めて敷設することを特徴とする二重遮水シートの敷設方法と、
この二重遮水シートの敷設方法において、注入手段と吸引手段とが遮水シートの同じ端縁近傍に設けられている二重遮水シートを使用し、二重遮水シートを海面下又は水面下に沈めて所定時間経過後に、法肩へ上ってきた袋状部内に残っていた空気を吸引手段から吸引する二重遮水シートの敷設方法とに関するものである。
【００１１】
【発明の実施の形態】
以下、図面を用いて本発明に係る二重遮水シートとその敷設方法とについて詳細に説明する。
図１は本発明に係る二重遮水シートの１実施例の平面図、図２は図１の右側面図、図３は図１におけるＡ−Ａ線断面図、図４は本発明に係る二重遮水シートの他の実施例の平面図、図５は所定間隔毎にニードルパンチされて連結されている対向する一対の上布と下布との間にベントナイトが挾持されている止水材の断面説明図、図６は透水用チューブが挿入されている透水用不織布の側面拡大説明図、図７は二重遮水シート内の空気を吸引する様子を示す説明図、図８〜９は本発明に係る二重遮水シートの敷設方法の１実施例を各行程毎に示した右側面説明図であって、図８は図１における二重遮水シートを吸引した後に上布側の遮水シートを上面にして注入手段を法肩に位置させた状態で二重遮水シートを海面又は水面上に浮かべた状態を示す右側面説明図、図９は二重遮水シートの見かけ比重を海水又は水より大きくして二重遮水シートを海面下又は水面下に敷設した様子を示す右側面説明図である。
【００１２】
図面中、Ｘは廃棄物最終処分場等に敷設される本発明に係る二重遮水シートであり、後述する遮水シート１，１間に後述する止水材２が充填された構造を有しており、必ずしも工場で製造したものである必要はなく、現場において直接製造したものであってもよい。
【００１３】
１は長方形の遮水シートであって、一対の遮水シート１，１を対向させてその四周の端縁1aを全て溶着等の手段で密着されていてその内部に密閉された袋状部1bが形成されている。この遮水シート１は、ポリエチレン，ポリプロピレン，ポリエステル，ポリアミド，ポリ塩化ビニル等の合成樹脂シートを使用することができ、更にその外層として不織布を有しているものであってもよい。
【００１４】
２は袋状部1bと略同じ大きさを有し織布又は不織布から成る上布2bと不織布から成る下布2cとで粒状のベントナイト2aが挾持されていて両布2b，2cが所定間隔毎にニードルパンチされて連結されている止水材２であり、後述するように二重遮水シートＸを敷設する際に水が注入されるが、ベントナイト2aの少なくとも一部が粒状のまま残る量の水が注入されるから、遮水シート１が破損したり遮水シート１の端縁1aの密着が不良であった場合にその破損箇所や密着不良箇所から海水や水が侵入してくるとベントナイト2aが膨潤して破損箇所等を塞ぐ自己修復性を有している。
【００１５】
３は透水用チューブ3aが挿入されていて上布2bの略長手方向全体に亘って重着されている透水用不織布であり、注入された水を止水材２の上布2b全体に行き亘らせるための通水用の不織布である。透水用チューブ3aは、例えばモノフィラメントの如き材料を網目状にした構造を有していて、大きな荷重が作用しても潰れることがなく、チューブ全体に亘って内部と外部とで水が自由に出入りできる。また、止水材２の上布2bを浸透した水によって粘土状になったベントナイト2a等により透水用チューブ3aが目詰まりしないように透水用不織布３本体はフィルタの役目をなしている。この透水用チューブ3aが挿入されている透水用不織布３としてはエンドレンフィルター（前田工繊社製）等が好ましく使用できる。
また、透水用不織布３は必ずしも図１の如く二重遮水シートＸの幅方向中央に配置する必要はなく、図４に示すように複数の透水用不織布３を対称的な位置に配置してもよい。
【００１６】
４は注入口4aと注入用弁4bとから成り透水用不織布３に水を注入して透水用不織布３を介して止水材２の上布2b全体に水を行き亘らせるための注入手段であり、この注入手段４は上布2b側の遮水シート１の長手方向の端縁1a近傍で且つ透水用不織布３と相対する位置に設けられている。この注入手段４は遮水シート１の長手方向の端縁1a近傍に設けられているから、注入手段４を法肩に位置させた状態で敷設作業をすれば、水の注入作業を容易に行えるのである。また、注入手段４は透水用不織布３と相対する位置に設けられているから、注入手段４から注入された水を透水用不織布３を通して止水材２の上布2b全体に行き亘らせることが可能となるのである。
【００１７】
５は遮水シート１，１間の袋状部1b内の空気を吸引するための吸引口5aと吸引用弁5bとから成り上布2b側の遮水シート１に設けられている吸引手段であり、吸引弁5bとしては例えば図１〜４に示す如く遮水シート１上に設けられた態様や図７に示す如く吸引口5aに連結されているホースの途中に配備される態様がある。また吸引手段５は吸引のみに用いて圧入等には用いないので、吸引用弁5bとして逆止弁の如き弁を用いることができるが、必ずしもこの限りではない。更に、二重遮水シートＸは吸引手段５によって袋状部1b内の空気を吸引後に敷設されるものであるから、吸引手段５の設置位置は特に限定されないが、二重遮水シートＸはその長さが数十メートル、幅が数メートルにも及ぶため、吸引手段５は遮水シート１の長手方向の端縁1a近傍に設けられていると作業がし易く且つその上に投入される廃棄物の重量によって損傷し難いので好ましい。また、注入手段４が設けられている端縁1a近傍に吸引手段５が設けられていると、吸引手段５と注入手段４とを法肩に位置させた状態で二重遮水シートＸを海面下又は水面下に沈めて敷設することができるから、法肩へと上がってきた袋状部1b内に残っていた空気を吸引手段５から再度吸引することができてより好ましい。
【００１８】
このような構造の本発明に係る二重遮水シートの敷設方法を図８及び９を用いて説明する。
本発明に係る二重遮水シートの敷設方法を実施するには、例えば図７に示すように吸引手段５の吸引口5aに連結されているホースの途中に吸引用弁5bを装着しそのホースに真空ポンプを連結し、先ず吸引用弁5bを開いた状態で真空ポンプを駆動して袋状部1b内の空気を吸引し、袋状部1b内を減圧状態にして袋状部1b内において遮水シート１の内面と止水材２の上布2b及び透水用不織布３とが密着して止水材２及び透水用不織布３が袋状部1b内において移動しない状態にした後に吸引用弁5bを閉める。このように袋状部1b内の空気を吸引する際に、袋状部1b内に充填されている止水材２のベントナイト2bは粒子状であるため、止水材２が従来の粘土状のベントナイト等のように粘性を有していて遮水シート１の内面と密着して袋状部1b内の空気を吸引することができない現象が発生することはない。尚、袋状部1b内の空気を吸引後、袋状部1b内の圧力変化を測定すれば、遮水シート１の密着部の密着状態や遮水シート１の破損の有無を検知することができる。
【００１９】
かくして袋状部1b内の空気を吸引して吸引用弁5bを閉じ、二重遮水シートＸ内を減圧状態に保持した状態で吸引用弁5bから真空ポンプ側のホースを外して、図８の如く吸引手段５と注入手段４とを法肩に位置させた状態で二重遮水シートＸを海面又は水面に浮かべる。その際、遮水シート１の内面と止水材２の上布2b及び透水用不織布３とが密着しているから吊り下げ等の作業が容易に行えるのである。
【００２０】
次に二重遮水シートＸに注入手段４から水を注入するには、図示していないが、注入手段４の注入用弁4bと注入ポンプ，貯水タンク等をホースを介して順次連結し、先ず注入用弁4bを開いた状態で注入ポンプを駆動して貯水タンク内の水を注入口4aから透水用不織布３を介して止水材２の上布2b全体に行き亘らせるように袋状部1b内に注入するのである。尚、敷設場所に水道等の設備があれば貯水タンク等を用いることなく水道水を直接供給すればよく、また敷設場所が海である場合には、海から汲み上げた海水を注入してもよい。
【００２１】
かくして注入された水は、袋状部1b内が減圧状態にあるので止水材２の上布2bの略長手方向全体に亘って重着されている透水用不織布３の透水用チューブ3aを経て短時間で袋状部1bの末端まで到達すると共に透水用不織布３全体に行き亘り、更には止水材２の上布2b内に浸透して行き、二重遮水シートＸの見かけ比重が海水又は水より大きくなって、図９に示すように二重遮水シートＸ全体が沈むのである。
【００２２】
このように二重遮水シートＸが沈んだところで注入用弁4bを閉じて水の注入を停止すれば、水を注入し過ぎることなく、止水材２のベントナイト2aが自己修復性を残した状態で二重遮水シートＸが敷設されるのである。また、敷設前の吸引作業が充分でなく袋状部1b内に空気が残存していた場合には、これらの空気は上方へと上がってくるから法肩に位置している吸引手段５から吸引すればよいのである。尚、二重遮水シートＸを海に敷設する場合には、浮き上がりを防止すると共に波によるめくれ上がりを防止するために二重遮水シートＸ上に土嚢袋などを載置してもよい。
【００２３】
【発明の効果】
以上に詳述した如き本発明に係る二重遮水シートは、従来の二重遮水シートのように単に二重の遮水シート間に止水材を充填させただけの二重遮水シートとは異なり、遮水シートに吸引手段が設けられているため、この吸引手段を利用して二重遮水シート内を減圧状態にして遮水シートの内面と充填されている止水材及び透水用不織布とを密着させた状態に維持させて二重遮水シートの形状を維持させることができるので、敷設作業の過程で吊り下げたり斜面あるいは鉛直な面等に敷設しても充填されている止水材が二重遮水シート間で下方側に偏ってしまうという欠点がないから均し作業等の大掛かりな作業工程を減らすことができ、また二重遮水シート内には殆ど空気が存在しないから少量の水で見かけ比重を大きくすることができるため、容易に二重遮水シートを敷設場所に合った見かけ比重にすることができ、更には上布と下布とで粒状のベントナイトが挾持されている止水材の上布上に略長手方向全体に亘って透水用チューブが挿入されている透水用不織布が重着されているので、注入手段から注入された水を透水用不織布を介して止水材の上布全体に水を注入することができるから、海面下や水面下に敷設する際に特に有用な二重遮水シートである。
【００２４】
そして本発明に係る二重遮水シートの敷設方法は、二重遮水シート内の空気を吸引し海面又水面に浮かべた後に二重遮水シートの内部に水を注入して海面下又水面下に沈めて敷設する敷設方法であり、海面又水面に浮かべる際には水を含んでいないため軽量でありまた減圧状態にあるから二重遮水シート内の止水材が偏ることがないから二重遮水シートを海面又は水面に浮かべる際の吊り下げ等の作業を容易に行うことができ、また水を注入して海面下又は水面下に沈める際も、通水路として透水用不織布が設けられていて二重遮水シート内も減圧状態にあるから短時間で二重遮水シートの少なくとも上面全体に水を行き亘らせることができるので敷設作業が効率良く行えるのである。更に、既製品の二重遮水シートでは見かけ比重を変えることが困難であるから、二重遮水シートを海面下又は水面下に沈めるためには土嚢袋などを載置する必要があったが、本発明に係る二重遮水シートの敷設方法を用いれば、二重遮水シートが海面下又は水面下に沈むまで水を注入するだけで、敷設場所に合った見かけ比重にすることが容易にできるのである。
また二重遮水シート内に空気が残存していた場合にも、吸引手段が設けられているから敷設後に袋状部内を上方へと上がってきた空気を吸引することができ、二重遮水シートの一部が浮き上がることを防止できるばかりか、空気の存在で遮水シートが変形した部分に偏荷重が作用して破損する現象が発生しないのである。
【００２５】
このような種々の効果を奏する本発明に係る二重遮水シート及びその敷設方法の工業的価値は非常に大きなものである。
【図面の簡単な説明】
【図１】  本発明に係る二重遮水シートの１実施例の平面図である。
【図２】  図１の右側面図である。
【図３】  図１におけるＡ−Ａ線断面図である。
【図４】  本発明に係る二重遮水シートの他の実施例の平面図である。
【図５】  所定間隔毎にニードルパンチされて連結されている対向する一対の上布と下布との間にベントナイトが挾持されている止水材の断面説明図である。
【図６】  透水用チューブが挿入されている透水用不織布の側面拡大説明図である。
【図７】  二重遮水シート内の空気を吸引する様子を示す説明図である。
【図８】  図１における二重遮水シートを吸引した後に、上布側の遮水シートを上面にして注入手段を法肩に位置させた状態で二重遮水シートを海面又は水面上に浮かべた状態を示す右側面説明図である。
【図９】  二重遮水シートの見かけ比重を海水又は水より大きくして二重遮水シートを海面下又は水面下に敷設した様子を示す右側面説明図である。
【符号の説明】
Ｘ  二重遮水シート
１  遮水シート
1a  端縁
1b  袋状部
２  止水材
2a  ベントナイト
2b  上布
2c  下布
３  透水用不織布
3a  透水用チューブ
４  注入手段
4a  注入口
4b  注入用弁
５  吸引手段
5a  吸引口
5b  吸引用弁
【図１】
0004077207.tif 000002
【図２】
0004077207.tif 000003
【図３】
0004077207.tif 000004
【図４】
0004077207.tif 000005
【図５】
0004077207.tif 000006
【図６】
0004077207.tif 000007
【図７】
0004077207.tif 000008
【図８】
0004077207.tif 000009
【図９】
0004077207.tif 000010